(57)【特許請求の範囲】
【請求項１】
回転軸部材の外周面上で軸方向に沿って延在しかつ周方向に所定間隔をおいて複数配設された外ボール溝と、前記回転軸部材の軸方向に移動可能に外嵌される軸嵌挿部材の内周面上で前記外ボール溝に対向する箇所に各々配設されかつ軸方向に沿って延在する内ボール溝とを有し、前記対向する外ボール溝と内ボール溝とによって形成されるスプライン溝にボールが介装されるボールスプライン機構のスプライン嵌合部品を製造する方法において、
前記回転軸部材と軸嵌挿部材のうち、高精度の加工が可能な方を高精度加工部材とし、他方を低精度加工部材として決定し、該決定した高精度加工部材に対して、予め設定されたボール溝加工寸法に基づきボール溝加工を施す第１工程と、
該第１工程によるボール溝加工後の高精度加工部材について前記ボール溝寸法を測定して該高精度加工部材のボール溝加工誤差幅を求める第２工程と、
前記低精度加工部材のボール溝よりも大きな寸法のボール溝を有する低精度加工部材マスターと前記ボール溝加工後の高精度加工部材とを組み合わせてスプライン溝内にボールを挿入し、軸まわりに相対的に正転方向及び逆転方向に付勢し、周方向におけるガタ量を測定する第３工程と、
該第３工程により測定したガタ量に基づいて、前記低精度加工部材のボール溝加工寸法を算出する第４工程と、
前記外ボール溝、内ボール溝、ボールとからなるスプライン部に作用する予圧量と、前記回転軸部材及び軸嵌挿部材の相対的な軸方向への移動における摺動抵抗力との関係から前記摺動抵抗力を予め設定された評価規格範囲内の値とする予圧量の適正予圧範囲を求め、前記スプライン部の予圧量を前記適正予圧範囲内の値とする前記スプライン部の加工公差幅を算出する第５工程と、
該第５工程で算出したスプライン部の加工公差幅と前記第２工程で求めた高精度加工部材のボール溝加工誤差幅とに基づいて、前記スプライン部の予圧量を前記適正予圧範囲内の値とする低精度加工部材のボール溝加工公差幅を算出する第６工程と、
前記第４工程で算出した低精度加工部材のボール溝加工寸法と前記第６工程で算出した低精度加工部材のボール溝加工公差幅に基づいて前記低精度加工部材にボール溝加工を施す第７工程とを含むことを特徴とするスプライン嵌合部品の製造方法。
【請求項２】
前記第７工程の後に、前記ボール溝加工後の低精度加工部材と前記ボール溝加工後の高精度加工部材とを組み合わせて、前記スプライン溝に前記ボールを介装する第８工程と、
該第８工程により組み合わせた前記低精度加工部材及び高精度加工部材の相対的な軸方向への移動による摺動抵抗力を測定し、該摺動抵抗力が前記評価規格範囲内に入るか否かを評価する第９工程とを含むことを特徴とする請求項１に記載のスプライン嵌合部品の製造方法。
【請求項３】
前記第２工程では、前記第１工程による高精度加工部材の加工数が予め設定された加工数に到達する毎に、該ボール溝加工後の高精度加工部材についてのボール溝加工誤差幅を求めることを特徴とする請求項１又は２に記載のスプライン嵌合部品の製造方法。
【請求項４】
前記第３工程においてガタ量の測定に使用されるボール溝加工後の高精度加工部材には、予め設定された加工数毎にロット分けされた同一ロット内におけるボール溝加工後の高精度加工部材のロット初品が用いられることを特徴とする請求項１〜３のいずれか１項に記載のスプライン嵌合部品の製造方法。
【請求項５】
前記第３工程では、外ボール溝と内ボール溝とが対向する全ての位相についてガタ量の測定を行い、
前記第４工程では、前記第３工程で測定した全位相のガタ量の平均値を算出し、該ガタ量の平均値に基づいて、前記低精度加工部材のボール溝加工寸法を算出することを特徴とする請求項１〜４のいずれか１項に記載のスプライン嵌合部品の製造方法。
【発明の詳細な説明】
【技術分野】
【０００１】
本発明は、スプライン嵌合部品を製造する方法に関し、特に、回転軸部材の外周面上で軸方向に沿って延在しかつ周方向に所定間隔をおいて複数配設された外ボール溝と、前記回転軸部材の軸方向に移動可能に外嵌される軸嵌挿部材の内周面上で外ボール溝に対向する箇所に各々配設されかつ軸方向に沿って延在する内ボール溝とを有し、対向する外ボール溝と内ボール溝とによって形成されるスプライン溝にボールが介装されるボールスプライン機構のスプライン嵌合部品を製造する方法に関する。
【背景技術】
【０００２】
例えば、無段変速機用プーリの固定側プーリが有する回転軸部材と可動側プーリが有する軸嵌挿部材とを軸方向に摺動可能に嵌合させ、回転軸部材の外周面上に配設された外ボール溝と、軸嵌挿部材の内周面上に配設された内ボール溝とを対向させて形成されるスプライン溝内に、スプライン溝の溝径よりも小さな基準ボールを挿入し、固定側プーリと可動側プーリとを互いに反転する方向に回転させて、回転方向のガタ量を測定し、そのガタ量に基づいて適正なボール径を算出し、そのボール径を有するボールをスプライン溝に挿入して組み付ける方法が従来より提案されている（例えば特許文献１を参照）。
【０００３】
【特許文献１】特許第３０１１０２５号
【発明の開示】
【発明が解決しようとする課題】
【０００４】
しかしながら、上記従来の方法の場合、各無段変速機用プーリについてそれぞれガタ量を測定してボール径を算出しなければならない。したがって、無段変速機用プーリの製造に手間がかかり、生産台数が限定され、大量に生産することが困難であった。
【０００５】
また、各無段変速機用プーリ毎に適正なボール径を有するボールを選択して組み付けるので、予め複数種類のボール径を用意しておかなければならず、ボールの品質管理や在庫管理が煩雑であった。
【０００６】
そして、複数種類のボール径が存在するので、ボールを挿入する作業において、ボールが適正なボール径を有するものであるか否かを確認する作業を各ボール毎に行う必要があり、組付作業全体の作業時間を短縮することができなかった。
【０００７】
本発明は、これらの問題に鑑み、従来技術の課題を解決すべくなされたものであり、その目的は、ボールスプライン機構の摺動抵抗力が予め設定された評価規格範囲に収まるスプライン嵌合部品を容易に製造することができるスプライン嵌合部品の製造方法を提供することにある。
【課題を解決するための手段】
【０００８】
上記課題を解決する請求項１に記載の発明によるスプライン嵌合部品の製造方法は、回転軸部材の外周面上で軸方向に沿って延在しかつ周方向に所定間隔をおいて複数配設された外ボール溝と、回転軸部材の軸方向に移動可能に外嵌される軸嵌挿部材の内周面上で外ボール溝に対向する箇所に各々配設されかつ軸方向に沿って延在する内ボール溝とを有し、対向する外ボール溝と内ボール溝とによって形成されるスプライン溝にボールが介装されるボールスプライン機構のスプライン嵌合部品を製造する方法において、回転軸部材と軸嵌挿部材のうち、高精度の加工が可能な方を高精度加工部材とし、他方を低精度加工部材として決定し、その決定した高精度加工部材に対して、予め設定されたボール溝加工寸法に基づきボール溝加工を施す第１工程と、第１工程によるボール溝加工後の高精度加工部材についてボール溝寸法を測定して高精度加工部材のボール溝加工誤差幅を求める第２工程と、低精度加工部材のボール溝よりも大きな寸法のボール溝を有する低精度加工部材マスターとボール溝加工後の高精度加工部材とを組み合わせてスプライン溝内にボールを挿入し、軸まわりに相対的に正転方向及び逆転方向に付勢し、周方向におけるガタ量を測定する第３工程と、第３工程により測定したガタ量に基づいて、低精度加工部材のボール溝加工寸法を算出する第４工程と、外ボール溝、内ボール溝、ボールとからなるスプライン部に作用する予圧量と、回転軸部材及び軸嵌挿部材の相対的な軸方向への移動における摺動抵抗力との関係から摺動抵抗力を予め設定された評価規格範囲内の値とする予圧量の適正予圧範囲を求め、スプライン部の予圧量を適正予圧範囲内の値とするスプライン部の加工公差幅を算出する第５工程と、第５工程で算出したスプライン部の加工公差幅と第２工程で求めた高精度加工部材のボール溝加工誤差幅とに基づいて、スプライン部の予圧量を適正予圧範囲内の値とする低精度加工部材のボール溝加工公差幅を算出する第６工程と、第４工程で算出した低精度加工部材のボール溝加工寸法と第６工程で算出した低精度加工部材のボール溝加工公差幅に基づいて低精度加工部材にボール溝加工を施す第７工程とを含むことを特徴とする。
【０００９】
請求項２に記載の発明は、請求項１に記載のスプライン嵌合部品の製造方法において、第７工程の後に、ボール溝加工後の低精度加工部材とボール溝加工後の高精度加工部材とを組み合わせて、スプライン溝にボールを介装する第８工程と、第８工程により組み合わせた低精度加工部材及び高精度加工部材の相対的な軸方向への移動による摺動抵抗力を測定し、その摺動抵抗力が評価規格範囲内に入るか否かを評価する第９工程とを含むことを特徴とする。
【００１０】
請求項３に記載の発明は、請求項１又は２に記載のスプライン嵌合部品の製造方法において、第２工程では、第１工程による高精度加工部材の加工数が予め設定された加工数に到達する毎に、ボール溝加工後の高精度加工部材についてのボール溝加工誤差幅を求めることを特徴とする。
【００１１】
請求項４に記載の発明は、請求項１〜３のいずれか１項に記載のスプライン嵌合部品の製造方法において、第３工程においてガタ量の測定に使用されるボール溝加工後の高精度加工部材には、予め設定された加工数毎にロット分けされた同一ロット内におけるボール溝加工後の高精度加工部材のロット初品が用いられることを特徴とする。
【００１２】
請求項５に記載の発明は、請求項１〜４のいずれか１項に記載のスプライン嵌合部品の製造方法において、第３工程では、外ボール溝と内ボール溝とが対向する全ての位相についてガタ量の測定を行い、第４工程では、第３工程で測定した全位相のガタ量の平均値を算出し、そのガタ量の平均値に基づいて、低精度加工部材のボール溝加工寸法を算出することを特徴とする。
【発明の効果】
【００１３】
請求項１の発明によると、摺動抵抗力と予圧量との関係に応じて摺動抵抗力を評価規定範囲内の値とする予圧量の適正予圧範囲を求め、スプライン部の予圧量を適正予圧範囲内の値とするスプライン部の加工公差幅を算出する。そして、ボール溝加工後の高精度加工部材についてボール溝を測定し、そのボール溝加工誤差幅を求める。
【００１４】
それから、上記のスプライン部の加工公差幅及びボール溝加工後の高精度加工部材のボール溝加工誤差幅に基づいて、スプライン部の予圧量を適正予圧範囲内の値とする低精度加工部材のボール溝加工公差幅を算出する。
【００１５】
そして、低精度加工部材のボール溝加工誤差が低精度加工部材のボール溝加工公差幅内の値となるように低精度加工部材にボール溝加工を施す。
【００１６】
これにより、ボール溝加工後の高精度加工部材と組み合わせたときにスプライン部の予圧量を適正予圧範囲内の値とし、摺動抵抗力を評価規定範囲内の値とする適正なボール溝寸法のボール溝を低精度加工部材に形成することができる。
【００１７】
上記の低精度加工部材のボール溝加工公差幅は、ボール溝加工後の高精度加工部材のボール溝加工誤差幅を予め求めておき、ガタ量の測定を１回だけ行うことによって算出することができる。
【００１８】
したがって、例えば複数のスプライン嵌合部品を製造する場合に、各低精度加工部材に対して、ボール溝加工公差幅に基づきボール溝加工を施すことで、適正なボール溝寸法のボール溝を形成することができる。
【００１９】
したがって、従来のようにガタ量の測定を各スプライン嵌合部品についてそれぞれ行う必要がなく、スプライン嵌合部品の製造作業を容易なものにすることができる。
【００２０】
また、ボールは同一径のものを用意すればよく、従来のように種々の径を有する複数種類のボールを用意する必要がない。したがって、ボールなどの部品コストを低減し、最適なボールの選択作業、ボール径の品質管理や在庫管理等を省略することができる。
【００２１】
請求項２に記載の発明によると、ボール溝加工後の低精度加工部材とボール溝加工後の高精度加工部材とを組み合わせて、対向する外ボール溝と内ボール溝によって形成されたスプライン溝にボールを介装し、低精度加工部材と高精度加工部材とを相対的に軸方向に移動させて摺動抵抗力を測定し、その測定した摺動抵抗力が評価規格範囲内に入るか否かを評価する。したがって、スプライン嵌合部品の組立後に、所期の性能を有するか否かを確認し、所期の性能を有するものだけを合格品として出荷等することができる。
【００２２】
請求項３に記載の発明によると、高精度加工部材の加工数が予め設定された加工数に到達する毎に、そのボール溝加工後の高精度加工部材についてボール溝加工誤差幅を求めるので、低精度加工部材のボール溝加工寸法及びボール溝加工公差幅を、所定の加工数毎に設定することができる。
【００２３】
したがって、例えば高精度加工部材のボール溝加工誤差が加工数に応じて寸法変化を生じる場合には、所定の加工数毎に低精度加工部材のボール溝加工公差幅をより大きく設定することができる。したがって、低精度加工部材の加工精度をより緩やかなものとすることができ、低精度加工部材の加工容易性を向上させることができる。
【００２４】
請求項４に記載の発明によると、ガタ量の測定に使用されるボール溝加工後の高精度加工部材には、予め設定された加工数毎にロット分けされた同一ロット内における高精度加工部材のロット初品が用いられる。
【００２５】
したがって、例えば高精度加工部材のボール溝加工誤差が加工数に応じて寸法変化を生じる場合には、その寸法変化を考慮して、低精度加工部材のボール溝加工公差幅を適切な値に設定することができ、同一ロット内におけるボール溝加工後の高精度加工部材と組み合わせたときに予圧量を適正予圧範囲内の値とすることができる。
【００２６】
請求項５に記載の発明によると、外ボール溝と内ボール溝とが対向する全ての位相についてガタ量の測定を行い、これらの測定した全位相のガタ量の平均値を算出し、そのガタ量の平均値に基づいて、低精度加工部材のボール溝加工寸法を算出するので、組み合わせる位相によってガタ量に誤差が生じた場合に、低精度加工部材のボール溝加工公差幅への影響を極力小さなものにすることができる。
【発明を実施するための最良の形態】
【００２７】
次に、本発明の実施の形態について説明する。図１は、無段変速機用プーリの構成を説明する図、図２は、図１のＸ−Ｘ線断面図である。
【００２８】
まず最初に、本実施の形態におけるスプライン嵌合部品の構成について、無段変速機用プーリ１の場合を例に説明する。
【００２９】
スプライン嵌合部品である無段変速機用プーリ１は、自動車の自動変速機内に備え付けられるものであり、エンジンの出力軸に連結される固定側シーブ（回転軸部材）２と、その固定側シーブ２に嵌挿される可動側シーブ（軸嵌挿部材）６とを備え、ボールスプライン機構により固定側シーブ２と可動側シーブ６とを一体に回転可能でかつ固定側シーブ２に対し可動側シーブ６を軸方向に相対的に移動可能に構成されている。
【００３０】
固定側シーブ２は、シャフト部３とシーブ部４を有しており、シャフト部３の外周面上には軸方向に沿って延在しかつ周方向に所定間隔をおいて複数配設された固定側シーブボール溝（外ボール溝）Ｈｏが形成されている。
【００３１】
固定側シーブボール溝Ｈｏは、図２に示すように、回転中心を中心として１２０度の角度間隔をおいて配設されており、合計で３本の固定側シーブボール溝Ｈｏが設けられている。
【００３２】
これらの３本の固定側シーブボール溝Ｈｏは、断面が同一の曲率半径を有する２つの凹円弧を対峙させた、ゴシックアーチ型といわれる凹溝形状を有している。
【００３３】
シーブ部４は、図１に示すように、シャフト部３の基端側位置で径方向に拡がる円盤形状を有しており、軸方向でかつ固定側シーブボール溝Ｈｏ側に向かって移行するにしたがって漸次縮径するテーパ状のシーブ面が形成されている。
【００３４】
一方、可動側シーブ６は、固定側シーブ２のシャフト部３を嵌挿可能なボス部７と、そのボス部７の一方端部で径方向に拡がる円盤状のシーブ部８を有している。ボス部７の内周面上には、図２に示すように、固定側シーブボール溝Ｈｏに対応する位置に各々配置されかつ軸方向に沿って延在する可動側シーブボール溝（内ボール溝）Ｈｉが形成されている。
【００３５】
これらの３本の可動側シーブボール溝Ｈｉは、固定側シーブボール溝Ｈｏと同様に断面がゴシックアーチ型といわれる凹溝形状を有している。シーブ部８は、軸方向外側に向かって移行するにしたがって漸次縮径するテーパ状のシーブ面が、固定側シーブ２のシーブ面に対向するように設けられている。
【００３６】
そして、対向する固定側シーブボール溝Ｈｏと可動側シーブボール溝Ｈｉとによって形成されたスプライン溝内に複数のボール９が介装されて、これら固定側シーブボール溝Ｈｏ、可動側シーブボール溝Ｈｉ、ボール９の協働によりボールスプライン機構が構成されている。
【００３７】
次に、本実施の形態について図３〜図７を用いて説明する。図３は、本実施の形態に係わる無段変速機用プーリ１の製造方法を説明するフローチャートである。
＜第１工程＞
固定側シーブ２と可動側シーブ６のうち、シャフト部３に対するボール溝加工とボス部７に対するボール溝加工のいずれか高精度の加工が可能な方を高精度加工部材とし、他方を低精度加工部材として決定し、高精度加工部材に対してボール溝加工を施す（ステップＳ１）。
【００３８】
本実施の形態では、可動側シーブ６へのボール溝加工方法に、加工精度が極めて高いブローチ加工が用いられていることから、可動側シーブ６を高精度加工部材として決定している。
【００３９】
可動側シーブ６へのブローチ加工により、ボス部７には所定のボール溝加工寸法を有する可動側シーブボール溝Ｈｉが形成される（例えば図２を参照）。ブローチ加工は、予め設定された複数個の可動側シーブ６を１ロットとして、１ロットごとに行われる。
＜第２工程＞
第１工程によりボール溝加工が施された可動側シーブ（高精度加工部材）６に対して、可動側シーブボール溝Ｈｉのボール溝寸法を測定し、可動側シーブボール溝Ｈｉのボール溝加工誤差幅δ２を求める（ステップＳ２）。
【００４０】
ボール溝加工誤差幅δ２は、ロットが変わる毎及びブローチ（工具）を交換する毎に分けて求めている。ボール溝寸法の測定は、同一ロット内における任意の可動側シーブ６を複数選択し、その選択された複数の可動側シーブ６について行う。ただし、１ロットの個数が少ない場合には、同一ロット内における全ての可動側シーブ６について測定しても良い。
【００４１】
図４は、可動側シーブ６のボール溝加工誤差の傾向を示す図である。可動側シーブ６のボール溝加工誤差は、図４に示すように、ボール溝加工の加工数が増加するに応じて、可動側シーブボール溝Ｈｉの大きさが徐々に小さくなる傾向を有している。
＜第３工程＞
ガタ量αの測定を行う（ステップＳ３）。図５は、ガタ量αの測定方法を説明する図である。
【００４２】
ガタ量αの測定では、低精度加工部材マスター１１とマスターボール１２を用意する。低精度加工部材マスター１１は、固定側シーブ２と同一の外形状を有し、かつ固定側シーブボール溝Ｈｏの代わりに固定側シーブボール溝Ｈｏよりも大きな寸法のマスターボール溝Ｈｍが形成されている。また、マスターボール１２は、ボール９と同一の大きさを有している。そして、マスターボール溝Ｈｍとマスターボール１２の寸法形状は、いずれも予め測定されて既知となっている。
【００４３】
次に、第１工程によってボール溝加工が施された複数の可動側シーブ６のうち、１つのの可動側シーブ６をガタ量測定用可動側シーブ６′として決定する。ガタ量測定用可動側シーブ６′は、予め設定された加工数毎にロット分けされた可動側シーブ６の同一ロット内における最初の加工品、いわゆるロット初品を用いている。
【００４４】
そして、ガタ量測定用可動側シーブ６′と低精度加工部材マスター１１とを組み合わせて、対向するマスターボール溝Ｈｍと可動側シーブボール溝Ｈｉとによって形成されるスプライン溝内にマスターボール１２を挿入する。
【００４５】
それから、図５（ａ）及び図５（ｂ）に示すように、低精度加工部材マスター１１とガタ量測定用可動側シーブ６′とを軸まわりに相対的に正転方向及び逆転方向に付勢して低精度加工部材マスター１１とガタ量測定用可動側シーブ６′との周方向におけるガタ量α（＝α１＋α２）を測定する。
【００４６】
ガタ量αの測定は、低精度加工部材マスター１１とガタ量測定用可動側シーブ６′とを組み合わせる位相に応じてガタ量αに誤差が生じることから、固定側シーブボール溝Ｈｏと可動側シーブボール溝Ｈｉとが対向する全ての位相について行う。
＜第４工程＞
第３工程で測定したガタ量αに基づいて、低精度加工部材である固定側シーブ２のボール溝加工寸法を算出する（ステップＳ４）。
【００４７】
ガタ量αに基づく固定側シーブ２のボール溝加工寸法の算出は、従来の測定用ボールを使用したガタ量に基づく適正ボール径の算出方法と同様の考え方を用いて行われる。
【００４８】
また、第３工程で測定したガタ量αの全位相の平均値を算出し、その平均値に基づいて、固定側シーブ２のボール溝加工寸法を算出している。これにより、例えば、組み合わせる位相によってガタ量αに誤差が生じた場合に、固定側シーブ２のボール溝加工公差幅δ１の算出への影響を極力小さなものにすることができる。
【００４９】
また、第３工程で測定したガタ量αの各位相間における差が予め設定された基準値よりも大きいか否かを判断し、基準値よりも大きい場合には、可動側シーブボール溝Ｈｉの芯ずれを検査してもよい。これにより、例えば可動側シーブボール溝の芯ずれが大きく、シャフト部３の外周面とボス部７の内周面との干渉が発生してボールスプライン機構としての機能を十分に発揮できない等の不具合を防ぐことができる。
＜第５工程＞
固定側シーブボール溝Ｈｏ、可動側シーブボール溝Ｈｉ、ボール９からなるスプライン部に作用する予圧量と、固定側シーブ２及び可動側シーブ６の相対的な軸方向への移動による摺動抵抗力との関係から、その摺動抵抗力を予め設定された評価規格範囲内の値とする予圧量の適正予圧範囲を求め、スプライン部の予圧量を適正予圧範囲内の値とするスプライン部の加工公差幅δを算出する（ステップＳ５）。
【００５０】
予圧量とは、無段変速機用プーリ１を組み立てることによってスプライン部に作用する圧力をいう。予圧量と摺動抵抗力との相関関係は、予め実験等によって求められており、かかる相関関係に基づいて、摺動抵抗力が評価規格範囲に入る場合における予圧量の範囲が導出され、適正予圧範囲として設定される。そして、その適正予圧範囲に予圧量が収まる加工公差幅δを算出する。
【００５１】
図６は、予圧量と摺動抵抗力との相関関係の一例を示すグラフである。摺動抵抗力は、図６に示すように、予圧量の増加に応じて緩やかなカーブを描いて上昇する傾向を有している。
＜第６工程＞
第５工程で算出したスプライン部の加工公差幅δと、第２工程で求めた可動側シーブ６のボール溝加工誤差幅δ２とに基づいて、固定側シーブ２のボール溝加工公差幅δ１を算出する（ステップＳ６）。
【００５２】
図７は、スプライン部の加工公差幅δと、固定側シーブ２のボール溝加工公差幅δ１及び可動側シーブ６のボール溝加工誤差幅δ２との関係を示す図である。
【００５３】
固定側シーブ２のボール溝加工公差幅δ１は、予圧量が適正予圧範囲に収まるスプライン部の加工公差幅δから、可動側シーブ６のボール溝加工誤差幅δ２とガタ量αの組付位相誤差δ３を減算することによって算出する。ガタ量αの組付位相誤差δ３は、組み合わせる位相に応じて発生する誤差であり、各位相のガタ量αの最大値から最小値を減算することによって求められる。したがって、スプライン部の予圧量を適正予圧範囲内の値にする固定側シーブ２のボール溝加工公差幅δ１を求めることができる。
＜第７工程＞
第４工程で算出した固定側シーブ２のボール溝加工寸法と、第６工程で算出した固定側シーブ２のボール溝加工公差幅δ１に基づいて、固定側シーブ２にボール溝加工を施す。
【００５４】
ボール溝加工は、ガタ量測定用可動側シーブ６′と同一ロットの可動側シーブとペアをなす固定側シーブ２の全てに対して行われる。
【００５５】
かかるボール溝加工により、固定側シーブ２のシャフト部３には、所定のボール溝加工寸法に形成されかつそのボール溝加工誤差がボール溝加工公差幅δ１内の値とされる固定側シーブボール溝Ｈｏが形成される。
【００５６】
したがって、スプライン部の予圧量を適正予圧範囲内の値とし、固定側シーブ２と可動側シーブ６との相対的な軸方向への摺動抵抗力を評価規格範囲内の値にすることができる。
【００５７】
また、スプライン部の加工公差幅δを構成する、ボール溝加工公差幅δ１、ボール溝加工誤差幅δ２、組付位相誤差δ３のうち、高精度加工部材である可動側シーブ６のボール溝加工誤差幅δ２及び組付位相誤差δ３は、低精度加工部材である固定側シーブ２のボール溝加工公差幅δ１と比較して、極めて小さい値となる。
【００５８】
したがって、スプライン部の加工公差幅δ内でボール溝加工誤差幅δ２と組付位相誤差δ３が占める割合を小さなものとし、ボール溝加工公差幅δ１が占める割合を大きなものとすることができる。
【００５９】
したがって、固定側シーブ２に対するボール溝加工において、ボール溝加工公差幅δ１を大きく確保することができ、高度な加工精度は要求されず、その加工容易性を向上させることができる。
＜第８工程＞
第１工程によってボール溝加工が施された可動側シーブ６と第７工程によってボール溝加工が施された固定側シーブ２とを組み合わせて、対向する固定側シーブボール溝Ｈｏと可動側シーブボール溝Ｈｉとによって形成されるスプライン溝内にボール９を挿入することにより、無段変速機用プーリ１の組み立てを行う。
【００６０】
ここで、可動側シーブ６のボール溝加工誤差は、ボール溝加工誤差幅δ２内の値となっている。そして、固定側シーブ２のボール溝加工誤差は、ボール溝加工公差幅δ１内の値となるように加工されている。
【００６１】
したがって、可動側シーブ６のボール溝加工誤差と、固定側シーブ２のボール溝加工誤差と、組付位相誤差を加算した値、すなわち無段変速機用プーリ１のスプライン部の加工誤差は、ボール溝加工公差幅δ内の値となる。したがって、適正予圧範囲に収まる予圧量を得ることができ、摺動抵抗力を評価規格範囲内に収めることができる。
＜第９工程＞
第８工程によって組み立てた無段変速機用プーリ１の固定側シーブ２と可動側シーブ６とを相対的に軸方向に移動させて摺動抵抗力を測定し、その摺動抵抗力が評価規格範囲に入るか否かを確認する（ステップＳ９）。
【００６２】
ここでは、無段変速機用プーリ１を、図１に示すように上下に延在し、かつ固定側シーブ２のシーブ部４が可動側シーブ６のシーブ部８よりも下側に位置するように配置する。
【００６３】
そして、固定側シーブ２を保持して可動側シーブ６を上下に往復移動させ、その上下移動に伴う摺動抵抗力を測定し、摺動抵抗力が評価規格範囲に収まっているか否かを評価する。
【００６４】
そして、摺動抵抗力が評価規格範囲内のときは所期の性能を有する合格品としてその無段変速機用プーリ１を出荷処理に移送し、評価規格範囲外のときは所期の性能を有しないとして再検査処理に移送する。したがって、無段変速機用プーリ１の組立後に、所期の性能を有するか否かを確認し、所期の性能を有するものだけを合格品として出荷等することができる。
【００６５】
上記無段変速機用プーリ１の製造方法によれば、適正なボール溝寸法の可動側シーブボール溝Ｈｉを可動側シーブ６に形成することができ、ボール溝加工後の固定側シーブ２と組み合わせてスプライン溝にボール９を介装させることによって、スプライン部の予圧量を適正予圧範囲内の値とし、固定側シーブ２と可動側シーブ６との軸方向への摺動抵抗力を評価規格範囲内の値とすることができる。
【００６６】
また、固定側シーブ２のボール溝加工寸法とボール溝加工公差幅δ１は、ボール溝加工後の可動側シーブ６と、低精度加工部材マスター１１と、ボールマスター１２を用いて、ガタ量の測定を少なくとも１回行うことによって算出することができる。
【００６７】
したがって、例えば複数の無段変速機用プーリ１を製造する場合において、ボール溝加工公差幅δ１に基づいて固定側シーブ２にボール溝加工を施すことによって、これら複数の固定側シーブ２に適正なボール溝寸法のボール溝を形成することができる。
【００６８】
これにより、従来のようにガタ量の測定を各無段変速機用プーリ１についてそれぞれ行う必要がなく、無段変速機用プーリ１の製造作業を容易なものにすることができる。
【００６９】
また、ボール９は同一径のものを複数用意すればよく、従来のように種々の径を有する複数種類のボールを用意する必要がない。したがって、ボール９の部品コストを低減し、最適ボールの選択作業、ボール径の品質管理や在庫管理等を省略することができる。
【００７０】
また、上記無段変速機用プーリ１の製造方法によれば、高精度加工部材である可動側シーブ６を予め設定された加工数毎にロット分けし、各ロット毎に可動側シーブ６についてボール溝寸法を測定し、そのボール溝加工誤差幅δ２を求めるので、低精度加工部材である固定側シーブ２のボール溝加工寸法及びボール溝加工公差幅δ１を所定の加工数毎に設定することができる。
【００７１】
また、予め設定された加工数毎にロット分けされた同一ロット内における可動側シーブ６のロット初品を、ガタ量の測定に用いているので、例えば図４に示すように、可動側シーブ６のボール溝加工誤差が加工数に応じて寸法変化を生じる場合には、その寸法変化を考慮して、固定側シーブ２のボール溝加工公差幅δ１を適切な値に設定することができ、同一ロット内におけるボール溝加工後の可動側シーブ６と組み合わせたときに予圧量を適正予圧範囲内の値とすることができる。
【００７２】
本発明は、上述の実施の形態に限定されるものではなく、本発明の趣旨を逸脱しない範囲で種々の変更が可能である。例えば、上述の実施の形態では、固定側シーブ２のボール溝加工公差幅δ１を算出するにあたり、可動側シーブ６のボール溝加工誤差幅δ２の他に、位相組付誤差δ３をスプライン部の加工公差幅δから減算しているが、位相組付誤差δ３が小さい場合等の理由によりこれを省略してボール溝加工誤差幅δ２だけを減算するものとしてもよい。
【図面の簡単な説明】
【００７３】
【図１】無段変速機用プーリの構成を説明する図である。
【図２】図１のＸ−Ｘ線断面図である。
【図３】本実施の形態に係わるスプライン嵌合部品の製造方法を説明するフローチャートである。
【図４】可動側シーブのボール溝加工誤差の傾向を示す図である。
【図５】ガタ量の測定方法を説明する図である。
【図６】予圧量と摺動抵抗力との相関関係の一例を示すグラフである。
【図７】スプライン部の加工公差幅と、固定側シーブのボール溝加工公差幅及び可動側シーブのボール溝加工誤差幅との関係を示す図である。
【符号の説明】
【００７４】
１  無段変速機用プーリ（スプライン嵌合部品）
２  固定側シーブ（回転軸部材）
３  シャフト部
６  可動側シーブ（軸嵌挿部材）
７  ボス部
９  ボール
１１  低精度加工部材マスター
１２  マスターボール
Ｈｉ  可動側シーブボール溝
Ｈｏ  固定側シーブボール溝
Ｈｍ  マスターボール溝
【図１】
0004717715.tif 000002
【図２】
0004717715.tif 000003
【図３】
0004717715.tif 000004
【図４】
0004717715.tif 000005
【図５】
0004717715.tif 000006
【図６】
0004717715.tif 000007
【図７】
0004717715.tif 000008